(57)【要約】  本発明は、照明又は視角化システムにおけるボタンに基づく色ナビゲーションに関し、特に、ボタンの使用のみの使用による照明又は視角化システムにおける色を介した高速及び低速のナビゲーションを可能にする、ボタンに基づく色ナビゲーションに関する。ナビゲーションに関して、装置10;50は、所定の順序に配置される複数のボタン14,16,18,20,22,24;52,54を具備され、前記ボタンのそれぞれが、選択されるべき当該システムの特定の色に関して設けられている。１つ又は複数のボタンS10の押圧が検知されると、前記検知された押圧のパラメータS12が評価され、当該システムにおける色がパラメータS14,S16,S18,S20の評価に依存して当該システムにおける色が変更される。
2010527501.tif 000002
【特許請求の範囲】
【請求項１】
所定の順序に配置される複数のボタンを有する装置を含む照明又は視角化システムにおけるボタンに基づく色ナビゲーションの方法であって、前記ボタンのそれぞれが、選択されるべき当該システムの特定の色に関して設けられ、
−１つ又は複数のボタンの押圧を検知するステップと、
−前記検知された押圧のパラメータを評価するステップと、
−前記パラメータの前記評価に依存して当該システムにおける色を変化させるステップと、
を含む、方法。
【請求項２】
請求項１に記載の方法であって、前記検知された押圧のパラメータを評価するステップが、
−２つの連続して押圧されたボタンの隣接性を評価するステップと、
−前記評価された隣接性に依存して前記色を変化させるステップと、
を含む、方法。
【請求項３】
請求項２に記載の方法であって、前記評価された隣接性に依存して前記色を変化させるステップが、
−前記評価された隣接性が所定の隣接性よりも大きい場合に、前記色を速く変化させるステップ、又は
−前記評価された隣接性が前記所定の隣接性よりも小さい又は等しい場合に、前記色をゆっくりと変化させるステップ、
を含む、方法。
【請求項４】
請求項３に記載の方法であって、前記色をゆっくりと変化させるステップが、
−ボタンが押圧されている間は前記色をゆっくりと変化させるステップと、
−ボタンの解放により前記色をゆっくりと変化させるステップを停止するステップと、
を含む、方法。
【請求項５】
請求項１乃至４のいずれか一項に記載の方法であって、前記検知された押圧のパラメータを評価するステップが、
−単一のボタンの押圧の数を評価するステップと、
−前記評価された押圧の数に依存して前記色を変化させるステップと、
を含む、方法。
【請求項６】
請求項５に記載の方法であって、前記評価された押圧の数に依存して前記色を変化させるステップが、
−前記単一のボタンが所定の期間内において反復的に押圧された場合に前記色を速く変化させるステップと、
−前記単一のボタンが前記所定の期間内において一度押圧された場合に前記色をゆっくりと変化させるステップと、
を含む、方法。
【請求項７】
請求項１乃至６のいずれか一項に記載の方法であって、前記検知された押圧のパラメータを評価するステップが、
−単一のボタンの押圧の持続時間を評価するステップと、
−前記評価された持続時間に依存して前記色を変化させるステップと、
を含む、方法。
【請求項８】
請求項７に記載の方法であって、前記評価された持続時間に依存して前記色を変化させるステップが、
−前記評価された持続時間が所定の持続時間より小さい場合に、前記色を速く変化させるステップと、
−前記評価された持続時間が前記所定の持続時間より大きい又は等しい場合に、前記色をゆっくりと変化させるステップと、
を含む、方法。
【請求項９】
請求項１乃至８のいずれか一項に記載の方法であって、前記検知された押圧のパラメータを評価するステップが、
−複数のボタンの同時押圧を評価するステップと、
−前記評価された同時押圧に依存して前記色を変化させるステップと、
を含む、方法。
【請求項１０】
請求項９に記載の方法であって、前記評価された同時押圧に依存して前記色を変化させるステップが、
−２つ以上ボタンが同時に押圧された場合に、前記色をゆっくりと変化させるステップと、
−１つのボタンのみが押圧された場合に、前記色を速く変化させるステップと、
を含む、方法。
【請求項１１】
請求項１乃至１０のいずれか一項に記載の方法であって、前記押圧を検知するステップが、
−押圧されるボタンの識別と所定の期間内における前記ボタンの連続的な押圧の数とをメモリに記憶するステップ、
を含む、方法。
【請求項１２】
請求項１１に記載の方法であって、前記検知された押圧のパラメータを評価するステップが、
−前記メモリから前記記憶された押圧されるボタンの識別と前記連続的な押圧の数とを読み出すステップと、
−前記読み出された前記押圧されるボタンの識別と前記連続的な押圧の数とを処理するステップと、
−前記処理の結果に従い前記色を変化させるステップと、
を含む、方法。
【請求項１３】
計算機によって実行される場合に、請求項１乃至１２のいずれか一項に記載の方法の少なくとも一部を実行するように構成された計算機プログラム。
【請求項１４】
請求項１３に記載の計算機プログラムを記憶する記録媒体。
【請求項１５】
所定の順序に配置される複数のボタンを有する、照明又は視角化システムに関するボタンに基づく色ナビゲーション装置であって、前記ボタンのそれぞれが、選択されるべき当該システムの特定の色に関して設けられ、
−１つ又は複数のボタンの押圧を検知するセンサと、
−前記検知された押圧のパラメータを評価する評価手段と、
−前記パラメータの前記評価に依存して当該システムにおける色の変化を開始させる色変化手段と、
を含む、装置。
【請求項１６】
請求項１乃至１２のいずれか一項に記載の方法を実行するように適合された、請求項１５に記載の装置。
【請求項１７】
請求項１５又は１６に記載の装置であって、前記照明又は視角化システムに関するリモートコントロールであり、前記システムの受信器へ色変化信号を伝送する伝送手段を含み、前記色変化信号が、前記システムにおける色変化を開始させるように適合される、装置。
【発明の詳細な説明】
【技術分野】
【０００１】
本発明は、照明又は視角化システムにおけるボタンに基づく色ナビゲーションに関し、特に、ボタンの使用のみによる照明又は視角化システムにおける色を介した高速及び低速のナビゲーションを可能にする、ボタンに基づく色ナビゲーションに関する。
【背景技術】
【０００２】
ユーザにユーザの好みの照明雰囲気又は視角化システムの色を生成させるために、近年の多くの照明又は視角化システムは、強度だけでなく、色も調整することを可能にする。このようなシステムへ色の選択を入力するために、色ホイール又はパッドが使用され得る。タッチキーを用いて色調整データを入力することも知られている。タッチキーは、ユーザが、一回の接触により好みの色彩及び飽和度を選択することを可能にする。しかし、タッチ型又はディスプレイスクリーンに基づく色ナビゲーションは、費用が掛かる。国際特許公報第03/015067A1号は、瞬間的に調整可能な色及び強度を有するＬＥＤ発光装置を開示する。装置の制御パネルは、それぞれプリセットされた色に対応するプリセットボタンを含む。プリセットボタンは、薄膜スイッチなどによって実施化され得る。このことは、単一のボタンを押すことによって、特定の色をすばやく選択することを可能にする。
【発明の概要】
【発明が解決しようとする課題】
【０００３】
本発明の目的は、照明又は視角化システムにおける向上された色ナビゲーション方法及び装置を提供することである。
【課題を解決するための手段】
【０００４】
前記目的は、独立請求項によって達成される。更なる実施例は、従属項によって示される。
【０００５】
本発明の基本的な思想は、制限された数のボタンを有する高速な色ナビゲーションを、微調整の能力と組み合わせることである。本発明に従うと、微調整の能力は、１つ以上のボタンの押圧を検知することと、特定のアルゴリズムを用いて検知された押圧のパラメータを評価することとによって、パラメータの評価に依存して照明又は視角化システムにおいて色を変化させるために、実施化され得る。検知されたボタン押圧のパラメータのアルゴリズム的評価は、色ホイール又はタッチパッドを有するナビゲーションと類似する機能性を有する、システムにおける色を介したナビゲーションを可能にする。本発明の色ナビゲーションは、何の高価なタッチパッド又は色ホールもナビゲーションのために必要とされないので、タッチ型又はディスプレイスクリーンに基づく色ナビゲーションよりも低いコスト及び技術的な費用で実施化され得る。本発明の実施例は、高速な及び低速なナビゲーションをも可能にし、この場合、低速なナビゲーションは後述されるように色の微調整の能力を提供する。本発明は、照明又は視角化システムへ適用され得る。照明システムは、例えば、環境照明システムなどである。視角化システムは、例えば、カラーテレビ受像機、計算機モニタ、画像を表示するデジタルフォトフレーム、カラー画像若しくはカラー写真を印刷するためのカラープリンター若しくはコピー機又は写真プリンタなどのディスプレイスクリーンなどである。原理的に、本発明は、いかなる手法で色を生成するいかなるシステムへも適用可能である。
【０００６】
本発明の実施例に従うと、所定の順序に配置される複数のボタンを有する装置を含む照明又は視角化システムにおけるボタンに基づく色ナビゲーションの方法であって、前記ボタンのそれぞれが、選択されるべき当該システムの特定の色に関して設けられ、
−１つ又は複数のボタンの押圧を検知するステップと、
−前記検知された押圧のパラメータを評価するステップと、
−前記パラメータの前記評価に依存して当該システムにおける色を変化させるステップと、
を含む、方法が提供されている。
【０００７】
前記方法は、ソフトウェア又はハードウェアにおいて実行されるアルゴリズムとして実施化され得る。例えば、前記方法は、照明システム用のリモートコントロールなどの、ボタンを有する色ナビゲーション装置において、又は視角化システムとしてのディスプレイスクリーンにおいて実施化されるマイクロコントローラのメモリに計算機プログラムとして記憶され得る。
【０００８】
本発明の更なる実施例に従うと、前記検知された押圧のパラメータを評価するステップが、
−２つの連続して押圧されたボタンの隣接性を評価するステップと、
−前記評価された隣接性に依存して前記色を変化させるステップと、
を含む。
【０００９】
前記評価された隣接性に依存して前記色を変化させるステップが、本発明の実施例に従うと、
−前記評価された隣接性が所定の隣接性よりも大きい場合に、前記色を速く変化させるステップ、又は
−前記評価された隣接性が所定の隣接性よりも小さい又は等しい場合に、前記色をゆっくりと変化させるステップ、
を含み得る。
【００１０】
隣接性は、具体的には、ボタンを有するパネルにおける又はリモートコントロールにおける２つボタンの位置の距離を意味する。例えば、全てのボタンが、ある種の色ナビゲーション円に配置される場合、隣接性は、２つの連続して押圧されるボタン間の円状の距離又は角度を意味し得る。所定の隣接性の原理は、以下のように簡単な例によって説明され、すなわち、所定の隣接性は１つのボタン分として設定され得る。したがって、第１のボタンが押圧され、第２番目に押圧されるボタンが第１番目に押圧されるボタンのすぐそばに位置される場合に、評価される隣接性は、１つのボタン分であり、したがって、所定の隣接性より大きくない。したがって、選択される色は、ゆっくりと変化され、これにより、選択された色の微調整を可能にする。しかし、１つ以上のボタンが第２のボタンと第１番目に押圧されたボタンとの間に位置される場合、評価される隣接性は、１つより多いボタンであり、１つのボタンの所定の隣接性より大きい。この場合、当該方法は、高速な色変化を開始させる。このことは、色ホイール又はタッチパッドを用いる技術的により費用の掛かる解決法と比較されて、相対的に低いコストでの色微調整能力を実施することを可能にする。
【００１１】
本発明の更なる実施例に従うと、前記色をゆっくりと変化させるステップが、
−ボタンが押圧されている間は前記色をゆっくりと変化させるステップと、
−ボタンの解放により前記色をゆっくりと変化させるステップを停止するステップと、
を含み得る。
【００１２】
このことは、低速な色変化モードが、前記方法によりボタンが押圧されている限りは予備決定され、そして、押圧されたボタンを解放することにより停止されることを意味する。このことは、ユーザが色変化を快適に微調整することを可能にする。
【００１３】
本発明の更なる実施例に従うと、前記検知された押圧のパラメータを評価するステップが、
−単一のボタンの押圧の数を評価するステップと、
−前記評価された押圧の数に依存して前記色を変化させるステップと、
を含み得る。
【００１４】
前記評価された押圧の数に依存して前記色を変化させるステップが、本発明の実施例に従うと、
−前記単一のボタンが所定の期間内において反復的に押圧された場合に前記色を速く変化させるステップと、
−前記単一のボタンが前記所定の期間内において一度押圧された場合に前記色をゆっくりと変化させるステップと、
を含み得る。
【００１５】
所定の期間は、例えば、１又は２秒などの数秒などであり得る。評価ステップはこの場合、１つのボタンがこの期間において２度、３度又はそれ以上押圧されたかを、又は１つのボタンがこの期間において１度のみ押圧されたかを、評価し得る。当該方法のこの実施例は、相対的に低コストで且つ控えめの技術的費用で実施化され得る。
【００１６】
本発明の更なる実施例に従うと、前記検知された押圧のパラメータを評価するステップが、
−単一のボタンの押圧の持続時間を評価するステップと、
−前記評価された持続時間に依存して前記色を変化させるステップと、
を含み得る。
【００１７】
この実施例を用いると、システムにおける色変化は、どのくらいの間ボタンがユーザによって押圧されるかに依存して制御され得る。言い換えると、ユーザは、ユーザは、ボタンを長く又は短くのみ押圧することによって、色変化を決定し得る。例えば、ユーザが赤色ボタンを非常に短く押圧する場合、システムは、赤色へ素早く切り替え得る。しかし、ユーザが、赤色ボタンを１秒より多くの間押圧する場合、システムは、現在の色から赤色へゆっくりと変化させ得る。
【００１８】
前記評価された持続時間に依存して前記色を変化させるステップが、本発明の実施例に従うと、
−前記評価された持続時間が所定の持続時間より小さい場合に、前記色を速く変化させるステップと、
−前記評価された持続時間が所定の持続時間より大きい又は等しい場合に、前記色をゆっくりと変化させるステップと、
を含み得る。
【００１９】
簡単に言うと、ボタンを短く押圧することは高速な色変化を意味し、ボタンを長く押圧することは低速な色変化を意味する。前記方法は、逆の手法でも実施化され得ること、すなわち、ボタンを短く押圧することは低速な色変化を意味し、ボタンを長く押圧することは高速な色変化を意味することを特記されるべきである。
【００２０】
本発明の更なる実施例に従うと、前記検知された押圧のパラメータを評価するステップが、
−複数のボタンの同時押圧を評価するステップと、
−前記評価された同時押圧に依存して前記色を変化させるステップと、
を含み得る。
【００２１】
この実施例に従うと、色変化「モード」は、いくつかのボタンを同時に押圧することによって制御され得る。例えば、前記方法は、ユーザが黄色及び赤色のボタンを同時に押圧する場合に、システムが現在の色を赤色へゆっくりと調整し得ることにおいて、実施化され得る。そして、ユーザが赤色のボタンのみを押圧する場合、システムは、現在の色を赤色へ速く調整し得る。
【００２２】
前記評価された同時押圧に依存して前記色を変化させるステップが、本発明の実施例に従うと、
−２つ以上ボタンが同時に押圧された場合に、前記色をゆっくりと変化させるステップと、
−１つのボタンのみが押圧された場合に、前記色を速く変化させるステップと、
を含み得る。
【００２３】
本発明の実施例に従うと、前記押圧を検知するステップが、
−押圧されるボタンの識別と所定の期間内における前記ボタンの連続的な押圧の数とをメモリに記憶するステップ、
を含み得る。本発明のより更なる実施例に従うと、前記検知された押圧のパラメータを評価するステップが、
−前記メモリから前記記憶された押圧されるボタンの識別と前記連続的な押圧の数とを読み出すステップと、
−前記読み出された前記押圧されるボタンの識別と前記連続的な押圧の数とを処理するステップと、
−前記処理の結果に従い前記色を変化させるステップと、
を含み得る。
【００２４】
上述されるように、マイクロコントローラ又は処理器が、本発明の方法の実施例を実行するように適用され、評価を実行するように構成され得る。例えば、ボタンは、マイクロコントローラのキーボード入力へ電気的に接続され、マイクロコントローラの内部ＲＯＭ(Read  Only  Memory)において記憶されるプログラムは、接続されたボタンの押圧に関してキーボード入力を検知し、そして、上述の方法のステップに従い検知された押圧を処理するように構成され得る。
【００２５】
本発明の更なる実施例に従うと、計算機によって実行される場合に、本発明の実施例に従う方法を実行するように構成され得る計算機プログラムが提供される。計算機プログラムは、複雑な照明システムを制御するために使用され得る、例えばパーソナルコンピュータ（ＰＣ）などにおいて本発明を実施することを可能にする。
【００２６】
CD-ROM、DVD、メモリーカード、フロッピーディスク（登録商標）、又は類似の記憶媒体などの記録担体が、本発明の実施例に従う計算機プログラムを記憶するのに提供され得る。
【００２７】
本発明の更なる実施例に従うと、所定の順序に配置される複数のボタンを有する、照明又は視角化システムに関するボタンに基づく色ナビゲーション装置が提供され、前記ボタンのそれぞれが、選択されるべき当該システムの特定の色に関して設けられ、当該装置は、
−１つ又は複数のボタンの押圧を検知するセンサと、
−前記検知された押圧のパラメータを評価する評価手段と、
−前記パラメータの前記評価に依存して当該照明システムにおける色の変化を開始させる色変化手段と、
を含む。
【００２８】
具体的には、本発明の実施例に従うと、前記装置は、本発明に従う方法を実行するように適合され得る。装置は、本発明に従う方法を実行するプログラムが記憶されるメモリを有するマイクロコントローラなどを含み得る。マイクロコントローラは、キーボードのボタンの押圧を検知するキーボードインターフェイスを含み得る。ボタンの検知された押圧は、この場合、メモリに記憶され、マイクロコントローラの処理器によって実行されるプログラムによって評価され得る。このようなマイクロコントローラは、テレビ受信機の複雑な照明システムなどを制御する電気装置において実施化されることが適切であり得る。
【００２９】
本発明の実施例に従うと、前記装置は、前記照明又は視角化システムに関するリモートコントロールであり得、前記システムの受信器へ色変化信号を伝送する伝送手段を含み得、前記色変化手段が、前記システムにおける色変化を開始させるように適合される。
【００３０】
本発明のこれら及び他の態様は、以下の記載の実施例から明らかであり、これらを参照にして、説明される。
【００３１】
本発明は、例示的な実施例を参照にして以下により詳細に説明される。しかし、本発明は、これらの例示的な実施例に制限されない。
【図面の簡単な説明】
【００３２】
【図１】図１は、本発明の実施例に従う照明システムに関するボタンに基づく色ナビゲーション装置の第１の実施例を示す。
【図２】図２は、図１の装置の高速な色選択の原理を示す。
【図３】図３は、図１の装置の色選択を微調整する(又は低速な色選択)原理を示す。
【図４】図４は、高速な色選択の原理を、２つのボタンのみの配置を含む、本発明の実施例に従う照明システムに関するボタンに基づく色ナビゲーション装置の第２の実施例を用いて、示す。
【図５】図５は、低速な色選択の原理を、２つのボタンのみの配置を含む、本発明の実施例に従う照明システムに関するボタンに基づく色ナビゲーション装置の第２の実施例を用いて、示す。
【図６】図６は、本発明の実施例に従う４つ以上のボタンを有する装置を有するボタンに基づく色ナビゲーション装置に関する方法の第１実施例のフロー図を示す。
【図７】図７は、本発明の実施例に従う２つのボタンを有する装置を有するボタンに基づく色ナビゲーション装置に関する方法の第２実施例のフロー図を示す。
【発明を実施するための形態】
【００３３】
以下の説明において、本発明は、いくつかの光ユニットを有する複合照明システムの色制御に関して説明されている。更に、図面における(機能的に)類似又は同一の要素は、以下の説明において同一の参照符号を用いて記載され得る。
【００３４】
近年の照明システムは、快適な環境を生成するために、光強度を制御するだけでなく、発光色も制御することを可能にする。光源の色のナビゲーション及び設定をするために、所定の順序で配置される複数のボタンを有するいわゆる色のナビゲーション装置１０が用いられ得る。ボタンは、図１に示されるように、所定の順序を規定する、ある種の色ナビゲーション円１２で位置され得る。６つのボタンのそれぞれは、選択されるべきシステムの特定の色に関して設けられる。１２時の方向に位置されるボタン１４は、色を黄色としてプリセットされ、２時の方向に位置されるボタン１６は、色を赤色としてプリセットされ、４時の方向に位置されるボタン１８は、色をマゼンタとしてプリセットされ、６時の方向に位置されるボタン２０は、色を青色としてプリセットされ、８時の方向に位置されるボタン２２は、色をシアンとしてプリセットされ、１０時の方向に位置されるボタン２４は、色を緑色としてプリセットされる。したがって、ボタン１４、１６、１８、２０、２２、２４のそれぞれは、対応するプリセットされた色をすばやく選択することを可能にする。センサ手段２６は、１つ又は複数のボタンの押圧を検知するために設けられる。センサ手段２６は、ボタンにおける押圧を検知し且つ検知された押圧を対応するボタンの識別（情報）及びある種の押圧のタイムスタンプをバッファなどのメモリに記憶する集積回路において実施化され得る。評価手段２８は、メモリ内容、すなわちバッファに記憶されたセンサ手段２６からのボタンの押圧、を受け取り、２つの連続した押圧間の期間及びボタンの所定の順序に対して２つの連続した押圧されたボタンの隣接性などの、検知された押圧のパラメータを評価する。色変化手段３０は、評価手段２８からの評価結果を受け取り、パラメータの評価に依存してシステムにおける色の変化を開始させる。手段２６、２８及び３０は、例えば、リモートコントロールのためのマイクロコントローラのモジュールなどとして実施化され得る、又はマイクロコントローラのメモリに記憶されそしてコントローラの処理器によって実行されるソフトウェアによって実行され得る。図１の左側は、６つの色ボタンのみのナビゲーション装置を示し、図１の右側部分は、色ホイール機能を支持するグラフィックを含む実施例を示す。
【００３５】
色を介したナビゲーションを説明する前に、本発明の文脈における隣接性の意味が以下に説明される。隣接性及び非隣接性は、ボタンの順序において２つの連続的に押圧されるボタンの距離を意味する。例えば、所定の隣接性は、１つのボタン分に設定され得る。このことは、２つの連続して押圧されたボタンの距離が１つのボタン分である場合に、これらのボタンは隣接していると判断されることを意味する。しかし、距離が１つのボタン分より大きい場合、２つのボタン分は非隣接であると判断される。例えば、始めに黄色ボタン１４を、２番目にマゼンタ色ボタン１８を押圧する場合に、連続して押圧されたボタン１４及び１８の距離は、２つのボタン分であり、そして所定の隣接性の１つのボタン分より大きい。しかし、２番目に押圧されたボタンは緑色ボタン２４である場合、連続して押圧されたボタン１４及び２４の距離は１つのボタン分であり、所定の隣接性と等しい。隣接性の判断に依存して、特定の色変化モード（色の高速な又は低速な変化）が、以下のように説明されるように開始され得る。
【００３６】
高速な色選択は、図２に関して説明され、非隣接のボタンを押圧することにより、高速な色選択が開始される。例えば、黄色ボタン１４が押圧される場合、黄色は、照明システムのランプに関して設定される。第２に、黄色ボタン１４に隣接しないで位置される青色ボタン２０を押圧する場合、ランプは、ただちに青色へ飛躍する。
【００３７】
選択された色の微調整に関する低速な色変化モードは、図３に関して以下に説明されるように、隣接するボタンを押圧することによって開始され得る。例えば、黄色ボタン１４を始めに押圧する場合、黄色はランプに関して設定される。第２に、赤色ボタン１６を押圧する場合、ランプは、ゆっくりと黄色から赤色へ発光色を変化させる。赤色ボタン１４が解放される場合、色変化ステップは停止する。このようにして、例えば、オレンジ色が設定され得る。次に、色は、黄色（赤色ボタン１４に隣接する）ボタン１４を押圧することによってより黄色っぽいオレンジ色にされ得る。又は、ユーザは、この色を、赤色（同一の）ボタン１６を再び押圧することによってより赤っぽいオレンジ色にし得る。色変化ステップは、赤色へと到達されると自動的に停止する。
【００３８】
この実施例は、４つ以上のボタンへ適用され得ることを特記されるべきである。３つ以下のボタンに関しては、各ボタン全てが隣接している（最小所定隣接性は１つのボタンである）ので、高速な色選択は、図４及び図５に関して以下に説明されるように、異なる手法で解決されるべきである。３つ以下のボタンに関して、高速な又は低速な色変化モードの開始は、同一のボタンの複数回の押圧によって実施化され得る。例えば、２つのボタンに関しては、第２のボタンが２度押圧される場合（それぞれの間において速く）、高速な色変化が開始され得、図４を参照されたい。図４は、色円５６の１２時及び６時の方向のそれぞれに位置される２つのボタン５２及び５４を有する色ナビゲーション装置５０を示す。ボタン５２は、色を黄色に、ボタン５４は色を青色にプリセットされる。装置５０は、以下に説明されるように開始される、高速な及び低速な色変化モードに関して設定される。
【００３９】
例えば黄色から青色への高速な色変化モードに関して、第２のボタン５４が２度押圧される（それぞれの間において速く：短いほぼ直線矢印によって示される）。第２のボタン５４の押圧が検知され、押圧間の持続時間が、高速な色変化が開始されるべきかの判断に関するパラメータとして評価される。２つの押圧が所定の期間内に発生すると評価される場合、高速な色変化モードが開始され得（図４参照、ボタン５２からボタン５４へのほぼ直線の矢印は、黄色から青色への切り替えのような高速な色変化を例示している）、そうでない場合、色変化は、円又はホイール５６の全ての中間色を介してゆっくりと変化する（図５を参照：ボタン５２からボタン５４への円状の矢印は、黄色から青色への平滑で安定した切り替えでの低速な色変化を例示している）。色のナビゲーションのこの原理は、図１乃至３と関係して上述される第１実施例に代えて又は加えて、図１に示される装置を用いるなどして、２つより多いボタンを用いても使用され得る。
【００４０】
図６は、４つ以上のボタンを有する装置を含む、ボタンに基づく色ナビゲーション方法に関する方法のフロー図を示す。第１ステップＳ１０において、装置の１つ以上のボタンの押圧が検知される。後続のステップＳ１２において、検知された押圧が、２つの連続して押圧されたボタンの隣接性が評価されることに関して、評価される。ステップＳ１４において、評価された隣接性が所定の隣接性より大きいか否かが確認される。評価された隣接性がより大きい場合、システムにおける色は、ステップＳ１６において速く変化される。評価された隣接性がより大きくない場合、当該方法は、低速な色変化モードに切り替わり、ステップＳ１８に継続し、この場合、色の低速な変化処理が開始する。ステップＳ２０において、最後の押圧ボタンがまだ押圧されているかを連続的に確認される。ボタンがまだ押圧されている場合、低速な色変化が継続する。そうでない場合、すなわち、ボタンが解放される場合、低速な色変化は停止し、ボタンを解放した時点での色がシステムおいて設定される。
【００４１】
図７は、例えば図４及び５に示されるような、２つのみのボタンを有する装置を用いて、ボタンに基づく色ナビゲーション方法に関する方法のフロー図を示す。第１ステップＳ１１において、装置の２つのボタンのうちの単一のボタンの押圧が検知される。後続のステップＳ１３において、検知された押圧は、単一のボタンの２つの連続して押圧間の期間が評価されることに関して、評価される。ステップＳ１５において、評価された期間が所定の期間より大きいか否かが確認される。評価された期間がより大きい場合、システムにおける色は、ステップＳ１６において速く変化される。評価された期間がより大きくない場合、当該方法は、低速な色変化モードに切り替わり、ステップＳ１８に継続し、この場合、色の低速な変化処理が開始する。ステップＳ２０において、前記１つのボタンがまだ押圧されているかが連続的に確認される。ボタンがまだ押圧されている場合、低速な色変化が継続する。そうでない場合、すなわち、ボタンが解放される場合、低速な色変化は停止し、ボタンを解放した時点での色がシステムおいて設定される。
【００４２】
本発明の機能性の少なくともいくつは、図６及び７に示される方法の上述の実施例などのように、ハードウェア又はソフトウェアによって実行され得る。ソフトウェアにおける実施化の場合、１つの又は多重の標準的マイクロプロセッサ又はマイクロコントローラが、本発明を実施化する１つの又は多重のアルゴリズムを処理するように使用され得る。
【００４３】
「有する・備える・含む」という動詞及びその活用形の使用は、他の要素又はステップの存在を排除しないこと、及び、単数形の構成要素は、複数個の斯様な構成要素の存在を排除しないことを特記されるべきである。更に、請求項における如何なる参照符号も請求項の範囲を制限するように解釈されてはならない。
【図１】
2010527501.tif 000003
【図２】
2010527501.tif 000004
【図３】
2010527501.tif 000005
【図４】
2010527501.tif 000006
【図５】
2010527501.tif 000007
【図６】
2010527501.tif 000008
【図７】
2010527501.tif 000009
【国際調査報告】
2010527501.tif 000010
2010527501.tif 000011
2010527501.tif 000012